(57)【要約】  本発明は、ウェハの接触面上にウェハを保持するためのマウント面を有し、ウェハを機械加工する目的でウェハを保持しマウントするための保持装置およびウェハをマウントするための保定手段に関し、保定手段は、ウェハのマウント面上に極端に薄いウェハをマウントすることおよびウェハ内の最小の潜在的な局所変形を実現する。
2014501440.tif 000002
【特許請求の範囲】
【請求項１】
ウェハの支持面(3a)上に前記ウェハ(3)を設置するための保持面(1o)と、
前記ウェハを保持するための保持手段(2、2')であり、これによって前記保持手段(2、2')が動作状態と非動作状態との間を切り替えることが可能である、保持手段(2、2')と
の構成を有する、前記ウェハ(3)を処理するために前記ウェハ(3)を保定し保持するための保定システムにおいて、
前記動作状態では、前記保持手段(2、2')が、500nm未満の前記保持面(1o)の方向で前記支持面(3a)に沿った前記ウェハ(3)の局所変形(V)の50μmと800μmとの間のウェハ厚さ(d)で作られることが可能であることを特徴とする、保定システム。
【請求項２】
ウェハの支持面(3a)上にウェハ(3)を設置するための保持面(1o)と、
前記ウェハ(3)の前記支持面(3a)と前記保持面(1o)に沿って分布し開口部幅(D)を有する開口部(2)上の前記支持面(3a)から遠くに面した前記ウェハ(3)の印画面(3o)との間に圧力差を生成することによって前記ウェハ(3)を保持するための保持手段(2、2')と
の構成を有する、前記ウェハ(3)を処理するために前記ウェハ(3)を保定し保持するための保定システムであって、
半径の外側への横方向の前記開口部幅(D)が、500μm未満の平均内側幅を有する、
保定システム。
【請求項３】
前記開口部(2)が、前記保持面(1o)と前記開口部(2)の内壁(2w)との間の一方の端部に丸め(2r)またはベゼルを有する、請求項2に記載の保定システム。
【請求項４】
前記保持面(1o)上の前記開口部(2、2')の面密度が、前記全保持面(1o)にわたり基本的に一定である、請求項1から3の一項に記載の保定システム。
【請求項５】
再加工されることが可能であるまたは再加工されるべき貼り合わせウェハのための、請求項1から4の一項に記載の保定システムの使用。
【発明の詳細な説明】
【技術分野】
【０００１】
本発明は、請求項1または2のうちの一項にしたがった、ウェハを処理するためにウェハを保定し(retain)保持するための保定システムに関する。
【背景技術】
【０００２】
半導体産業では、試料ホルダまたはチャックとも呼ばれる様々なタイプの保定システムが使用されている。それぞれの応用プロセスに基づいて、全表面にわたりまたは局所的に加熱することができる様々な試料ホルダがあり、これらは様々な形状およびサイズを有することができ、様々な保定原理に基づいている。絶えず進展する微細化のために、特により薄いウェハ厚さを有するますます大きなウェハ直径に起因して、保定システムに課せられる要求は、後者が可能な限り均一であり最小限の粗さを有するように設計されることである。
【０００３】
保定システムにウェハを固定するために最も一般的に使用される方法は、保定システムの保持面上の構造内に真空を作り出すことにある。
【０００４】
特に貼り合わせプロセスでは、ウェハを接合するときに、すなわち、2枚のウェハの全接触面に沿って、ウェハ上に存在する構造素子または複数のウェハが正確に向きを決められなければならいという要求が存在する。構造素子がマイクロメートル領域、部分的にはナノメートル領域である寸法を有するので、既にある配向位置でのわずかな偏位(deviation)が結果として構造間の不適切な接合をもたらす。
【発明の概要】
【発明が解決しようとする課題】
【０００５】
本発明の目的は、これゆえ、ウェハまたはウェハ上の個々の構造の配向についての誤差源が最小になるように、ウェハの構造の配向または位置についての保定システムの影響を可能な限り最小にすることである。
【課題を解決するための手段】
【０００６】
この目的は、請求項1および請求項2の構成により達成される。本発明の有利なさらなる展開は、従属請求項中に示される。明細書、特許請求の範囲、および/または図面中に示された少なくとも2つの構成のすべての組み合わせは、やはり本発明の範囲内になる。数値範囲のケースでは、上に述べた限度内にある値は、やはり境界値として開示され、任意の組み合わせで権利を主張することができる。
【０００７】
このケースでは、本発明は、ウェハの保持面上に極端に薄いウェハを保持する際に生じる特に局所的な保持力が、結果としてウェハに変形をもたらすという知見に基づいている。個別の構造またはいくつかの構造の位置変化が保定システム上のウェハを保持するための保持手段の動作状態においてウェハ上に生成されるという技術的な問題は、上記から生じる。かかる位置変化は、本発明にしたがった対策によって可能な限り最小にされ、これによって、第1の提案した解決策は、50μmまたは100μmの最小値と800μmの最大値との間のウェハ厚さdのケースでは、保持手段の非動作状態に対して比較した変形が、500nm未満、特に250nm未満、好ましくは100nm未満、より好ましくは50nm未満、理想的には10nm未満であるような方法で保持手段の対応する構造によって保持面の方向に支持面に沿ってウェハの局所的な変形を制限することにある。上記の効果を実現するための第2の提案した解決策は、ウェハを保持するために、ウェハの支持面と、保持面に沿って分布する開口部のところの支持面から遠くに面するウェハの印刷面との間の圧力差にあり、開口部のところのウェハの変形、特に局所的な変形を防止し、半径の外側への横方向の開口部幅D、特に直径Dが、1,000μm未満、有利には500μm未満、最適化した実施形態では100μm未満、特に50μm未満、好ましくは10μm未満、より好ましくは1μm未満の平均内側幅を有することにある。このケースでは、圧力差は、最大500mbar、特に最大200mbar、好ましくは最大100mbar、より好ましくは最大50mbar、理想的には最大30mbarである。保定システムの保持面の方向での変形は、特に、開口部幅Dが保持面または支持面の半径の外側への横方向に最小化するという対策によって最小にされ得る。これに加えて、可能な限り一様な保持力が、保持手段の動作状態において保持面に沿ってウェハ上に作用するように、開口部が、保持面の全体にわたって均一に分布するときには、本発明にしたがえば有利である。結果のもう1つの最適化は、ウェハ上に作用する力がこのように最小化され、したがって変形が小さくなり得るので、小さくした圧力差の使用によって可能である。
【０００８】
本発明によるもう1つの提案した解決策は、動作状態に対して非動作状態と比較して保持手段によって生成される支持ウェハに沿ったウェハの特に局所的な変形に対するウェハ厚さdの比率が、1から100以上、特に1から500以上、好ましくは1から1,000以上、より好ましくは1から5,000以上、理想的には1から10,000以上であることである。
【０００９】
上記の提案した解決策の基本的な態様は、保定システムの保持面が平坦であり、その結果、ウェハの局所的な変形または全体的な変形が保持面の潜在的な起伏のある場所によってさえ生じないことにある。この目的のために、保持面は、特殊な道具を用いて平坦に研削され、うねりでさえ最小にまで小さくされ得る方法で研磨される。ここでは、5μmよりも大きい、特に3μmよりも大きい、好ましくは1μmよりも大きい、さらにより好ましくは0.5μmよりも大きい平坦さの値が望まれる。これらの値は、保持面の最高点と最低点との間の高さの差に関係し、これによって、ここでは、実際のウェハ直径に対応する面だけが評価される。
【００１０】
本発明の実施形態にしたがった本発明によるもう1つの対策は、特にドリル加工および/またはミリング加工によって作られ、負圧を与えるために設けられた開口部が、開口部と保持面との間の端部を丸められるまたはベゼルを有することにある。丸めた構造では、丸めは、開口部幅Dの4分の1と開口部幅Dとの間である丸め半径を有する。ベゼルは、開口部の一方の内壁から支持平面Eに沿って開口部幅Dの4分の1と開口部幅Dとの間の距離にわたって延伸する。
【００１１】
本発明のもう1つの有利な実施形態によれば、保定システム内の開口部が、全保持面上に一様な方式または均一な方式で分布して配置されることが提供される。特に、開口部の面密度は、保定システムの全保持面にわたって基本的に一定である。面密度は、単位面内にあるすべての開口部の面Fの合計として定義され、合計は単位面、特に1mm2または1cm2に関係する。開口部の面Fは、したがってD2π/4である。単位面に対する面密度は、開口部の数/4*(D2π)/単位面である。面密度は、無次元である。
【００１２】
本発明の他の利点、特徴および詳細は、好ましい実施形態の説明からならびに図面に基づいて明らかになるであろう。
【図面の簡単な説明】
【００１３】
【図１ａ】上面図で本発明による保定システムを示す図である。
【図１ｂ】図1aによる切断線A-Aにしたがった切断側面図での図1aによる保定システムの図である。
【図１ｃ】図1aによる開口部の拡大図である。
【図１ｄ】図1bによる開口部の拡大図である。
【図２ａ】保定した位置にウェハを有する図1aによる保定システムの上面図である。
【図２ｂ】図2aによる切断線A-Aに沿った図2aによる保定システムの切断側面図である。
【図２ｃ】図2aによる上面図の拡大図である。
【図２ｄ】図2bによる断面図の拡大図である。
【図３ａ】本発明による保定システムの代替実施形態の上面図である。
【図３ｂ】図3aの切断線A-Aに沿った図3aによる保定システムの切断側面図である。
【図３ｃ】図3aによる保定システムの拡大図である。
【図３ｄ】図3bによる保定システムの拡大図である。
【図４】本発明による保定システムのもう1つの代替実施形態の上面図である。
【発明を実施するための形態】
【００１４】
図では、同じ構成要素または同じに動作する構成要素は、同じ参照符号で特徴付けられる。
【００１５】
図1aおよび図1bは、図2aから図2dに示されるウェハ3を保定し保持するために平坦な保持面1oを有する保定システム1を示す。ウェハ3を保定することは、例えば、ウェハのスタックまたはカセットからウェハ3を引き出し、保持面1o上にウェハ3を設置するロボットアーム、図示せず、により保持面1o上にウェハ3を設置することによって行われる。ウェハ3を保持するために、保定システム1を貫通する開口部2の形式での保持手段が、保持面1o上に設けられる。保持面1oと反対の側では、開口部2は、例えば、保持手段の一部として含まれる真空システム、図示せず、によって負圧を受けることがある。
【００１６】
図1aに示した実施形態による開口部2の分布は、保持面1oの半径Rが大きくなると減少する面密度で与えられる。これは、円形リング切断部Sの例に見られることがあり、これは面密度を決定するための単位面として選択されてもよい。円形リング切断部Sのサイズが同じままの状態で半径Rが減少すると、すなわち、保定システム1の中心へとさらに内側に向けて移動すると、円形リング切断部S内に検出される開口部2の数は、面密度が中心Zの方向に増加するような方法で増加する。ウェハ3上に作用する保持力は、それに応じて中心に向かって増加する。
【００１７】
図1aに示した開口部2の数は、単に図式表示であり、本発明によれば、標準300mmウェハ用の保持面1o内の開口部2の数は、少なくとも50、特に少なくとも100、好ましくは少なくとも200である。面密度は、例えば、1cm2の面を有する円形リング切断部Sの単位面に対して各ケースにおいて、少なくとも0.0005、特に少なくとも0.001、好ましくは少なくとも0.01である。
【００１８】
図1cによる拡大した上面図では、開口部2は直径Dおよびしたがって面Fを有し、これにしたがって本発明によれば、開口部幅D(ここでは円形断面のために、直径)、特に保持面1oの半径の外側への横方向の平均開口部幅Dは、1mm未満、特に500μm未満、好ましくは100μm未満、より好ましくは1μm未満、理想的には100nm未満であることがわかる。
【００１９】
図3aから図3dに示される本発明の一実施形態によれば、細孔2'としての開口部2には、全保持面1oに沿って開放気孔が設けられる。このケースでは、細孔2'は、特に、好ましくはセラミックからなる保定システム1の保定インサート4の形式で設けられてもよい。このケースでは、やはり図1aから図1dまたは図2aから図2dによる実施形態にここでも類似して、負圧が保持面1oから遠くに面する側に加えられることが可能であるように、細孔2'は保定インサート4を貫通する。
【００２０】
図1aから図1dによれば、開口部2は、各開口部2と保持面1oとの間の端部上に丸め2rを有する。丸め半径rは、基本的には開口部2の半径、すなわち、開口部幅Dの半分に対応し、これによって、図1aから図1dによる実施形態における開口部2は、円筒形孔として設計される。
【００２１】
保持面1oは、支持平面Eを形成する。支持平面Eにウェハの支持面3aを接触させて保持面1o上にウェハ3を設置するときに、ウェハ3は、すなわち保定システム1の中心に可能な限り同心円的になるように向きを決められる。保定システム1上にウェハ3を置いた後で、保持手段の非動作状態において、ウェハ3は、保持面1o上に自重だけによって保持面1o上に載る。保持手段が動作状態に切り替えられるとすぐに、すなわち、例えば、負圧が開口部2に与えられると、ウェハ3は、開口部2に吸引によって引かれ、したがって保持される。
【００２２】
図2dによる断面の拡大図では、負圧の効果またはウェハ3の印画面3o上の大気圧と開口部２内との圧力差の影響が見られる。ウェハ3は、薄いウェハ厚さdのために開口部2の方向に最小限、すなわち、支持平面Eと開口部2における支持面3aとの間の最大ギャップに対応する変形Vだけ歪む。
【００２３】
各開口部2のところで実現される局所変形Vによって、横方向の変形、すなわち、支持平面Eに沿った変形が、全ウェハ3内に生じ、これは図2d中の矢印によって図式的に示される。横方向の変形、すなわち、支持平面Eに沿った変形は、結果として、向きを決められるウェハまたは反対に向きを決められるべきウェハに対するウェハ3の動きになり、特にウェハ3上および/または反対のウェハ上に配置された構造、例えば、チップの動きになる。丸め2rによって、ウェハの偏位は、開口部2に対して横方向の領域では減少し、さらに、ウェハ3のダメージは、端部において最小になるまたは大部分は防止される。
【００２４】
これらの変形は、2枚の構造を有する基板の貼り合わせ中の問題だけでなく、構造を形成した基板が主として構造を形成していない基板に貼り合わせられるときにもかなりの問題を生じさせる。これは、特に、貼り合わせの後で、構造を形成した基板に対して非常に正確な方向合わせを必要とする別のプロセスステップが実行されるときのケースである。特に、構造の追加の層が基板上に既に存在する構造に向きを合わせられるリソグラフィステップは、ここに厳しい要求を課せている。これらの要求は、製造すべき構造の構造的なサイズが小さくなるにつれ大きくなる。かかる応用例は、例えば、いわゆるバックライトCMOSイメージセンサ(英語:"Backside Illuminated CMOS Image Sensor(裏面照明CMOSイメージセンサ)")を製造する際に生じる。このケースでは、既に構造を形成した面を有する第1のウェハが、支持ウェハ、特に主として構造を形成していないウェハに貼り合わせられる。恒久的な貼り合わせ接合が形成された後で、構造を形成したウェハのウェハ材料の大部分は、構造を形成した面、特に感光点が裏からアクセスされ得るような方法で除去される。これに関連して、この面は、例えば、イメージセンサの機能に不可欠なカラーフィルタを付けるために、追加のプロセスステップ、特にリソグラフィを受けなければならない。これらの構造の変形は、このリソグラフィステップで実現することができる配向精度に悪影響を及ぼす。例えば、1.75μmまたは1.1μmの画素サイズを有するイメージセンサの今日の世代にとって、ステップアンドリピートリソグラフィシステムの照明フィールド(最大26×32mm)に対して許容される変形は、ほぼ100nm、またはできれば70または50nmである。
【００２５】
本明細書では、予備貼り合わせは、予備貼り合わせステップが行われた後で、面に修復不可能なダメージを与えずに、基板、特にウェハの分離を依然として可能にする貼り合わせ接合を呼ぶ。これらの貼り合わせ接合は、これゆえ、可逆的貼り合わせとも呼ばれることがある。この分離は、面間の貼り合わせ強度/接着が依然として十分に小さいという事実に基づいて通常可能である。この分離は、貼り合わせ接合が恒久的になるまで、すなわちもはや分離できなくなる(非可逆的になる)まで通常は可能である。これは、特に、ある時間の経過によってならびに/または物理的なパラメータおよび/もしくはエネルギーによる外部からのウェハ上への作用によって実現されることがある。ここでは、特に、圧縮力によってウェハを一緒に押すこと、またはある温度までウェハを加熱すること、またはマイクロ波照射にウェハを曝すことが適切である。かかる予備貼り合わせ接合の一例は、熱的に生成した酸化物を有するウェハ面と自然酸化膜を有するウェハ面との間の接合であり、これによってここでは室温で、面間のファンデアワールス接合を結果としてもたらす。かかる貼り合わせ接合は、熱処理によって恒久的な貼り合わせ接合へと変換されることが可能である。かかる予備貼り合わせ化合物は、有利なことに、恒久的な貼り合わせ接合を形成する前に、貼り合わせ結果の検査をやはり可能にする。この検査で認められた欠陥のケースでは、基板は、依然としてもう一度分離され、再接合されことが可能である。
【００２６】
図3aから図3dに示した実施形態では、保定システム1は、保定インサート4として多孔質支持部を有し、これによって、多孔質支持部は、全支持部内に開放多孔を有する。保定インサートは、保定システム1内に固定される。
【００２７】
図1および図2による実施形態の開口部2に対応して、多孔質支持部は、細孔2'を有し、その構造パラメータは平均細孔直径である。細孔直径は、1mm未満、特に100μm未満、好ましくは1μm未満、より好ましくは100nm未満、理想的には10nm未満である。明確化の目的で、細孔2'サイズまたは粒サイズが、図3に非常に模式化した形式で示される。多孔質支持部は、好ましくはセラミック部品である。可能な限り一定な細孔2'の面密度を実現するために、セラミックは、焼結によって製造される。
【００２８】
図4では、一実施形態は、保定システム1の半径方向に長く伸びる縦長の開口部2"を有する保定システム1である。開口部2"の幅D対長さLの比率は、1対2と1対10との間、特に1対3と1対6との間、好ましくは1対4と1対5との間である。薄い支持体面および特に有害な半径方向の変形の防止にも拘わらず、縦長の構成は、保持面1oの方向における変形Vの結果として粒子等によって開口部2"が目詰まりすることを防止する。
【符号の説明】
【００２９】
1  保定システム
1o  保持面
2、2"  開口部
2r  丸め
2'  細孔
2w  内壁
3  ウェハ
3a  印画面
3o  支持面
4  保定インサート
d  ウェハ厚さ
D  開口部幅
E  支持平面
F  面
L  長さ
r  丸め半径
R  半径
S  円形リング切断部
V  変形
【図１ａ−１ｄ】
2014501440.tif 000003
【図２ａ−２ｄ】
2014501440.tif 000004
【図３ａ−３ｄ】
2014501440.tif 000005
【図４】
2014501440.tif 000006
【手続補正書】
【提出日】平成25年6月18日(2013.6.18)
【手続補正１】
【補正対象書類名】明細書
【補正対象項目名】全文
【補正方法】変更
【補正の内容】
【発明の詳細な説明】
【技術分野】
【０００１】
本発明は、請求項1にしたがった、ウェハを処理するためにウェハを保定し(retain)保持するための保定システムおよび請求項5にしたがった使用に関する。
【背景技術】
【０００２】
半導体産業では、試料ホルダまたはチャックとも呼ばれる様々なタイプの保定システムが使用されている。それぞれの応用プロセスに基づいて、全表面にわたりまたは局所的に加熱することができる様々な試料ホルダがあり、これらは様々な形状およびサイズを有することができ、様々な保定原理に基づいている。絶えず進展する微細化のために、特により薄いウェハ厚さを有するますます大きなウェハ直径に起因して、保定システムに課せられる要求は、後者が可能な限り均一であり最小限の粗さを有するように設計されることである。
【０００３】
保定システムにウェハを固定するために最も一般的に使用される方法は、保定システムの保持面上の構造内に真空を作り出すことにある。
【０００４】
特に貼り合わせプロセスでは、ウェハを接合するときに、すなわち、2枚のウェハの全接触面に沿って、ウェハ上に存在する構造素子または複数のウェハが正確に向きを決められなければならいという要求が存在する。構造素子がマイクロメートル領域、部分的にはナノメートル領域である寸法を有するので、既にある配向位置でのわずかな偏位(deviation)が結果として構造間の不適切な接合をもたらす。
【０００５】
米国特許出願第2003/0062734(A1)号は、対象物用の取り扱い物体を示し、米国特許出願第2010/0194012(A1)号は、積層した吸引層を有する誘電体セラミック粒子を用いた基板吸引部を示す。
【先行技術文献】
【特許文献】
【０００６】
【特許文献１】米国特許出願第2003/0062734(A1)号
【特許文献２】米国特許出願第2010/0194012(A1)号
【発明の概要】
【発明が解決しようとする課題】
【０００７】
本発明の目的は、これゆえ、ウェハまたはウェハ上の個々の構造の配向についての誤差源が最小になるように、ウェハの構造の配向または位置についての保定システムの影響を可能な限り最小にすることである。
【課題を解決するための手段】
【０００８】
この目的は、請求項1および請求項2の構成により達成される。本発明の有利なさらなる展開は、従属請求項中に示される。明細書、特許請求の範囲、および/または図面中に示された少なくとも2つの構成のすべての組み合わせは、やはり本発明の範囲内になる。数値範囲のケースでは、上に述べた限度内にある値は、やはり境界値として開示され、任意の組み合わせで権利を主張することができる。
【０００９】
このケースでは、本発明は、ウェハの保持面上に極端に薄いウェハを保持する際に生じる特に局所的な保持力が、結果としてウェハに変形をもたらすという知見に基づいている。個別の構造またはいくつかの構造の位置変化が保定システム上のウェハを保持するための保持手段の動作状態においてウェハ上に生成されるという技術的な問題は、上記から生じる。かかる位置変化は、本発明にしたがった対策によって可能な限り最小にされ、これによって、第1の提案した解決策は、50μmまたは100μmの最小値と800μmの最大値との間のウェハ厚さdのケースでは、保持手段の非動作状態に対して比較した変形が、500nm未満、特に250nm未満、好ましくは100nm未満、より好ましくは50nm未満、理想的には10nm未満であるような方法で保持手段の対応する構造によって保持面の方向に支持面に沿ってウェハの局所的な変形を制限することにある。上記の効果を実現するための第2の提案した解決策は、ウェハを保持するために、ウェハの支持面と、保持面に沿って分布する開口部のところの支持面から遠くに面するウェハの印刷面との間の圧力差にあり、開口部のところのウェハの変形、特に局所的な変形を防止し、半径の外側への横方向の開口部幅D、特に直径Dが、1,000μm未満、有利には500μm未満、最適化した実施形態では100μm未満、特に50μm未満、好ましくは10μm未満、より好ましくは1μm未満の平均内側幅を有することにある。このケースでは、圧力差は、最大500mbar、特に最大200mbar、好ましくは最大100mbar、より好ましくは最大50mbar、理想的には最大30mbarである。保定システムの保持面の方向での変形は、特に、開口部幅Dが保持面または支持面の半径の外側への横方向に最小化するという対策によって最小にされ得る。これに加えて、可能な限り一様な保持力が、保持手段の動作状態において保持面に沿ってウェハ上に作用するように、開口部が、保持面の全体にわたって均一に分布するときには、本発明にしたがえば有利である。結果のもう1つの最適化は、ウェハ上に作用する力がこのように最小化され、したがって変形が小さくなり得るので、小さくした圧力差の使用によって可能である。
【００１０】
本発明によるもう1つの提案した解決策は、動作状態に対して非動作状態と比較して保持手段によって生成される支持ウェハに沿ったウェハの特に局所的な変形に対するウェハ厚さdの比率が、1から100以上、特に1から500以上、好ましくは1から1,000以上、より好ましくは1から5,000以上、理想的には1から10,000以上であることである。
【００１１】
上記の提案した解決策の基本的な態様は、保定システムの保持面が平坦であり、その結果、ウェハの局所的な変形または全体的な変形が保持面の潜在的な起伏のある場所によってさえ生じないことにある。この目的のために、保持面は、特殊な道具を用いて平坦に研削され、うねりでさえ最小にまで小さくされ得る方法で研磨される。ここでは、5μmよりも大きい、特に3μmよりも大きい、好ましくは1μmよりも大きい、さらにより好ましくは0.5μmよりも大きい平坦さの値が望まれる。これらの値は、保持面の最高点と最低点との間の高さの差に関係し、これによって、ここでは、実際のウェハ直径に対応する面だけが評価される。
【００１２】
本発明の実施形態にしたがった本発明によるもう1つの対策は、特にドリル加工および/またはミリング加工によって作られ、負圧を与えるために設けられた開口部が、開口部と保持面との間の端部を丸められるまたはベゼルを有することにある。丸めた構造では、丸めは、開口部幅Dの4分の1と開口部幅Dとの間である丸め半径を有する。ベゼルは、開口部の一方の内壁から支持平面Eに沿って開口部幅Dの4分の1と開口部幅Dとの間の距離にわたって延伸する。
【００１３】
本発明のもう1つの有利な実施形態によれば、保定システム内の開口部が、全保持面上に一様な方式または均一な方式で分布して配置されることが提供される。特に、開口部の面密度は、保定システムの全保持面にわたって基本的に一定である。面密度は、単位面内にあるすべての開口部の面Fの合計として定義され、合計は単位面、特に1mm2または1cm2に関係する。開口部の面Fは、したがってD2π/4である。単位面に対する面密度は、開口部の数/4*(D2π)/単位面である。面密度は、無次元である。
【００１４】
本発明の他の利点、特徴および詳細は、好ましい実施形態の説明からならびに図面に基づいて明らかになるであろう。
【図面の簡単な説明】
【００１５】
【図１ａ】上面図で本発明による保定システムを示す図である。
【図１ｂ】図1aによる切断線A-Aにしたがった切断側面図での図1aによる保定システムの図である。
【図１ｃ】図1aによる開口部の拡大図である。
【図１ｄ】図1bによる開口部の拡大図である。
【図２ａ】保定した位置にウェハを有する図1aによる保定システムの上面図である。
【図２ｂ】図2aによる切断線A-Aに沿った図2aによる保定システムの切断側面図である。
【図２ｃ】図2aによる上面図の拡大図である。
【図２ｄ】図2bによる断面図の拡大図である。
【図３ａ】本発明による保定システムの代替実施形態の上面図である。
【図３ｂ】図3aの切断線A-Aに沿った図3aによる保定システムの切断側面図である。
【図３ｃ】図3aによる保定システムの拡大図である。
【図３ｄ】図3bによる保定システムの拡大図である。
【図４】本発明による保定システムのもう1つの代替実施形態の上面図である。
【発明を実施するための形態】
【００１６】
図では、同じ構成要素または同じに動作する構成要素は、同じ参照符号で特徴付けられる。
【００１７】
図1aおよび図1bは、図2aから図2dに示されるウェハ3を保定し保持するために平坦な保持面1oを有する保定システム1を示す。ウェハ3を保定することは、例えば、ウェハのスタックまたはカセットからウェハ3を引き出し、保持面1o上にウェハ3を設置するロボットアーム、図示せず、により保持面1o上にウェハ3を設置することによって行われる。ウェハ3を保持するために、保定システム1を貫通する開口部2の形式での保持手段が、保持面1o上に設けられる。保持面1oと反対の側では、開口部2は、例えば、保持手段の一部として含まれる真空システム、図示せず、によって負圧を受けることがある。
【００１８】
図1aに示した実施形態による開口部2の分布は、保持面1oの半径Rが大きくなると減少する面密度で与えられる。これは、円形リング切断部Sの例に見られることがあり、これは面密度を決定するための単位面として選択されてもよい。円形リング切断部Sのサイズが同じままの状態で半径Rが減少すると、すなわち、保定システム1の中心へとさらに内側に向けて移動すると、円形リング切断部S内に検出される開口部2の数は、面密度が中心Zの方向に増加するような方法で増加する。ウェハ3上に作用する保持力は、それに応じて中心に向かって増加する。
【００１９】
図1aに示した開口部2の数は、単に図式表示であり、本発明によれば、標準300mmウェハ用の保持面1o内の開口部2の数は、少なくとも50、特に少なくとも100、好ましくは少なくとも200である。面密度は、例えば、1cm2の面を有する円形リング切断部Sの単位面に対して各ケースにおいて、少なくとも0.0005、特に少なくとも0.001、好ましくは少なくとも0.01である。
【００２０】
図1cによる拡大した上面図では、開口部2は直径Dおよびしたがって面Fを有し、これにしたがって本発明によれば、開口部幅D(ここでは円形断面のために、直径)、特に保持面1oの半径の外側への横方向の平均開口部幅Dは、1mm未満、特に500μm未満、好ましくは100μm未満、より好ましくは1μm未満、理想的には100nm未満であることがわかる。
【００２１】
図3aから図3dに示される本発明の一実施形態によれば、細孔2'としての開口部2には、全保持面1oに沿って開放気孔が設けられる。このケースでは、細孔2'は、特に、好ましくはセラミックからなる保定システム1の保定インサート4の形式で設けられてもよい。このケースでは、やはり図1aから図1dまたは図2aから図2dによる実施形態にここでも類似して、負圧が保持面1oから遠くに面する側に加えられることが可能であるように、細孔2'は保定インサート4を貫通する。
【００２２】
図1aから図1dによれば、開口部2は、各開口部2と保持面1oとの間の端部上に丸め2rを有する。丸め半径rは、基本的には開口部2の半径、すなわち、開口部幅Dの半分に対応し、これによって、図1aから図1dによる実施形態における開口部2は、円筒形孔として設計される。
【００２３】
保持面1oは、支持平面Eを形成する。支持平面Eにウェハの支持面3aを接触させて保持面1o上にウェハ3を設置するときに、ウェハ3は、すなわち保定システム1の中心に可能な限り同心円的になるように向きを決められる。保定システム1上にウェハ3を置いた後で、保持手段の非動作状態において、ウェハ3は、保持面1o上に自重だけによって保持面1o上に載る。保持手段が動作状態に切り替えられるとすぐに、すなわち、例えば、負圧が開口部2に与えられると、ウェハ3は、開口部2に吸引によって引かれ、したがって保持される。
【００２４】
図2dによる断面の拡大図では、負圧の効果またはウェハ3の印画面3o上の大気圧と開口部２内との圧力差の影響が見られる。ウェハ3は、薄いウェハ厚さdのために開口部2の方向に最小限、すなわち、支持平面Eと開口部2における支持面3aとの間の最大ギャップに対応する変形Vだけ歪む。
【００２５】
各開口部2のところで実現される局所変形Vによって、横方向の変形、すなわち、支持平面Eに沿った変形が、全ウェハ3内に生じ、これは図2d中の矢印によって図式的に示される。横方向の変形、すなわち、支持平面Eに沿った変形は、結果として、向きを決められるウェハまたは反対に向きを決められるべきウェハに対するウェハ3の動きになり、特にウェハ3上および/または反対のウェハ上に配置された構造、例えば、チップの動きになる。丸め2rによって、ウェハの偏位は、開口部2に対して横方向の領域では減少し、さらに、ウェハ3のダメージは、端部において最小になるまたは大部分は防止される。
【００２６】
これらの変形は、2枚の構造を有する基板の貼り合わせ中の問題だけでなく、構造を形成した基板が主として構造を形成していない基板に貼り合わせられるときにもかなりの問題を生じさせる。これは、特に、貼り合わせの後で、構造を形成した基板に対して非常に正確な方向合わせを必要とする別のプロセスステップが実行されるときのケースである。特に、構造の追加の層が基板上に既に存在する構造に向きを合わせられるリソグラフィステップは、ここに厳しい要求を課せている。これらの要求は、製造すべき構造の構造的なサイズが小さくなるにつれ大きくなる。かかる応用例は、例えば、いわゆるバックライトCMOSイメージセンサ(英語:"Backside Illuminated CMOS Image Sensor(裏面照明CMOSイメージセンサ)")を製造する際に生じる。このケースでは、既に構造を形成した面を有する第1のウェハが、支持ウェハ、特に主として構造を形成していないウェハに貼り合わせられる。恒久的な貼り合わせ接合が形成された後で、構造を形成したウェハのウェハ材料の大部分は、構造を形成した面、特に感光点が裏からアクセスされ得るような方法で除去される。これに関連して、この面は、例えば、イメージセンサの機能に不可欠なカラーフィルタを付けるために、追加のプロセスステップ、特にリソグラフィを受けなければならない。これらの構造の変形は、このリソグラフィステップで実現することができる配向精度に悪影響を及ぼす。例えば、1.75μmまたは1.1μmの画素サイズを有するイメージセンサの今日の世代にとって、ステップアンドリピートリソグラフィシステムの照明フィールド(最大26×32mm)に対して許容される変形は、ほぼ100nm、またはできれば70または50nmである。
【００２７】
本明細書では、予備貼り合わせは、予備貼り合わせステップが行われた後で、面に修復不可能なダメージを与えずに、基板、特にウェハの分離を依然として可能にする貼り合わせ接合を呼ぶ。これらの貼り合わせ接合は、これゆえ、可逆的貼り合わせとも呼ばれることがある。この分離は、面間の貼り合わせ強度/接着が依然として十分に小さいという事実に基づいて通常可能である。この分離は、貼り合わせ接合が恒久的になるまで、すなわちもはや分離できなくなる(非可逆的になる)まで通常は可能である。これは、特に、ある時間の経過によってならびに/または物理的なパラメータおよび/もしくはエネルギーによる外部からのウェハ上への作用によって実現されることがある。ここでは、特に、圧縮力によってウェハを一緒に押すこと、またはある温度までウェハを加熱すること、またはマイクロ波照射にウェハを曝すことが適切である。かかる予備貼り合わせ接合の一例は、熱的に生成した酸化物を有するウェハ面と自然酸化膜を有するウェハ面との間の接合であり、これによってここでは室温で、面間のファンデアワールス接合を結果としてもたらす。かかる貼り合わせ接合は、熱処理によって恒久的な貼り合わせ接合へと変換されることが可能である。かかる予備貼り合わせ化合物は、有利なことに、恒久的な貼り合わせ接合を形成する前に、貼り合わせ結果の検査をやはり可能にする。この検査で認められた欠陥のケースでは、基板は、依然としてもう一度分離され、再接合されことが可能である。
【００２８】
図3aから図3dに示した実施形態では、保定システム1は、保定インサート4として多孔質支持部を有し、これによって、多孔質支持部は、全支持部内に開放多孔を有する。保定インサートは、保定システム1内に固定される。
【００２９】
図1および図2による実施形態の開口部2に対応して、多孔質支持部は、細孔2'を有し、その構造パラメータは平均細孔直径である。細孔直径は、1mm未満、特に100μm未満、好ましくは1μm未満、より好ましくは100nm未満、理想的には10nm未満である。明確化の目的で、細孔2'サイズまたは粒サイズが、図3に非常に模式化した形式で示される。多孔質支持部は、好ましくはセラミック部品である。可能な限り一定な細孔2'の面密度を実現するために、セラミックは、焼結によって製造される。
【００３０】
図4では、一実施形態は、保定システム1の半径方向に長く伸びる縦長の開口部2"を有する保定システム1である。開口部2"の幅D対長さLの比率は、1対2と1対10との間、特に1対3と1対6との間、好ましくは1対4と1対5との間である。薄い支持体面および特に有害な半径方向の変形の防止にも拘わらず、縦長の構成は、保持面1oの方向における変形Vの結果として粒子等によって開口部2"が目詰まりすることを防止する。
【符号の説明】
【００３１】
1  保定システム
1o  保持面
2、2"  開口部
2r  丸め
2'  細孔
2w  内壁
3  ウェハ
3a  印画面
3o  支持面
4  保定インサート
d  ウェハ厚さ
D  開口部幅
E  支持平面
F  面
L  長さ
r  丸め半径
R  半径
S  円形リング切断部
V  変形
【手続補正２】
【補正対象書類名】特許請求の範囲
【補正対象項目名】全文
【補正方法】変更
【補正の内容】
【特許請求の範囲】
【請求項１】
ウェハ(3)の支持面(3a)上に前記ウェハ(3)を設置するための保持面(1o)であり、前記保持面(1o)が保定システムの多孔質支持部上に形成され、前記多孔質支持部が保定インサート(4)として形成される、保持面(1o)と、
前記ウェハ(3)を保持するための保持手段(2、2')であり、これによって前記保持手段(2、2')が動作状態と非動作状態との間を切り替えることが可能であり、前記保持手段(2、2')が前記全支持部内に開放気孔の状態である前記多孔質支持部内の細孔を有する、保持手段(2、2')と
の構成を有する、前記ウェハ(3)を処理するために前記ウェハ(3)を保定し保持するための保定システムであって、
50μmと800μmとの間のウェハ厚さ(d)をともなう前記保持手段(2、2')の前記動作状態において、前記保持手段(2、2')が、500nm未満の前記保持面(1o)の方向で前記支持面(3a)に沿った前記ウェハ(3)の局所変形(V)を生じさせるように構成される、
保定システム。
【請求項２】
前記細孔の中間細孔直径が、1μm未満、特に100nm未満であることを特徴とする、請求項1に記載の保定システム。
【請求項３】
前記保持面(1o)上の前記細孔の面密度が、好ましくは焼結によりセラミック部品として前記多孔質支持部を特に形成することによって、前記全保持面(1o)にわたり基本的に一定である、請求項1または2に記載の保定システム。
【請求項４】
再加工されることが可能であるまたは再加工されるべき貼り合わせウェハのための、請求項1から3の一項に記載の保定システムの使用。
【国際調査報告】
2014501440.tif 000007
2014501440.tif 000008
2014501440.tif 000009
2014501440.tif 000010